(57)【要約】【課題】炊飯器の持ち運び安定性を向上させること。【解決手段】炊飯器本体１と、炊飯器本体１に着脱自在に収納する鍋２と、本体１の下部外郭を構成するボディ２４と、ボディ２４の底面側部に一対の把手部１４とを備え、前記把手部１４を、最大炊飯量の米と水が入った鍋２を収納した状態または鍋２を収納していない状態のどちらの炊飯器本体１の重心位置よりも後方側となる位置に設けた炊飯器とすることにより、使用者が炊飯器前方側から把手部を持って炊飯器を持ち上げて運ぶ際、本体への鍋の有無、さらには鍋内の米と水の量にかかわらず炊飯器は使用者側に傾くかまたはおよそ水平にバランスを保つことにより、持ち上げた炊飯器のバランスを崩すことなく安定して持ち運ぶことができる。【選択図】図１
2008259675.tif 000002
【特許請求の範囲】
【請求項１】
炊飯器本体と、炊飯器本体に着脱自在に収納する鍋と、本体の下部外郭を構成するボディと、ボディの底面側部に一対の把手部とを備え、前記把手部を、最大炊飯量の米と水が入った鍋を収納した状態と鍋を収納していない状態のいずれの場合の炊飯器本体の重心位置よりも後方側となる位置に設けた炊飯器。
【請求項２】
把手部の炊飯器前側面を、最大炊飯量の米と水が入った鍋を収納した状態と鍋を収納していない状態のいずれの場合の炊飯器本体の重心位置よりも前方側に設けた請求項１に記載の炊飯器。
【発明の詳細な説明】
【技術分野】
【０００１】
本発明は炊飯器に関するものである。
【背景技術】
【０００２】
近年、電磁誘導加熱を利用し炊飯器が市場で広まっている。例えば従来の炊飯器としては、図４に示すようなものであった。図４において、本体１０１は上面外郭を構成する上枠１０６と側下面の外郭を構成するボディ１１１で形成している。本体１０１の上方には開閉自在の蓋１０２を配設している。本体１０１前上方には、操作表示部１０７を備え、本体１０１内部の操作表示部１０７下方には加熱コイル１０５を駆動し制御する制御部１１０を配設している。本体１０１の後方には鍋１０３が上方より着脱自在に収納されている。鍋１０３は、ステンレス、鉄などの磁性体によって形成している。保護枠１０４は鍋１０３の収納部であり、非金属材料により有底円筒状に形成している。保護枠１０４の外側下方には鍋１０３を誘導加熱する加熱コイル１０５を配設している。ボディ１１１の両側面下方かつ本体１０１の前後方向のおよそ中間部分には本体１０１を持ち運ぶ際の掴み部分である凹形状の把手部１０８を形成している（例えば、特許文献１参照）。
【特許文献１】特開平８−１０１３８号公報
【発明の開示】
【発明が解決しようとする課題】
【０００３】
しかしながら、前記従来の構成では、本体１０１前方に制御部１１０を配設し、本体１０１後方に鍋１０３を収納する構成としていることにより、本体１０１内に鍋１０３を収納していない状態や、空または少量の米と水が入った鍋１０３を収納した状態では、炊飯器の前方側から把手部１０８を持って炊飯器を持ち運ぶ際、本体１０１の後方が軽くなっているため本体１０１は前方に傾く。また、最大炊飯量の米と水が入った鍋１０３を収納した状態では、同様に炊飯器の前方側から把手部１０８を持って炊飯器を持ち運ぶ際、本体１０１の後方が重くなっているため本体１０１は後方に傾く。このとき、両手で把手部１０８を掴んでいるため傾いた本体１０１を手で支えることができないのであるが、本体１０１が前方に傾いた場合には炊飯器を持ち上げた使用者本人の体があるため、本体１０１の傾きを体で支えることができるので炊飯器を脱落させることなく持ち上げることができる。しかしながら、本体１０１が後方に傾いた場合には、炊飯器は使用者の前方へ離れていく方向に傾くため、本体１０１の傾きを支えることができず炊飯器を使用者の前方へ脱落させる恐れがあり、炊飯器を持ち上げる作業において注意が必要であるという課題を有していた。
【０００４】
本発明は前記従来の課題を解決するもので、安定した状態で持ち運ぶことのできる炊飯器を提供することを目的とする。
【課題を解決するための手段】
【０００５】
前記従来の課題を解決するために本発明の炊飯器は、炊飯器本体と、炊飯器本体に着脱自在に収納する鍋と、本体の下部外郭を構成するボディと、ボディの底面側部に一対の把手部とを備え、前記把手部を、最大炊飯量の米と水が入った鍋を収納した状態と鍋を収納していない状態のいずれの場合の炊飯器本体の重心位置よりも後方側となる位置に設けた炊飯器としたものである。
【０００６】
これによって、使用者が炊飯器前方側から把手部を持って炊飯器を持ち上げて運ぶ際、本体への鍋の有無、さらには鍋内の米と水の量にかかわらず炊飯器は使用者側に傾くかまたはおよそ水平にバランスを保つことにより、持ち上げて運ぶ炊飯器のバランスを崩すことなく安定して持ち運ぶことができる。
【発明の効果】
【０００７】
本発明の炊飯器は、炊飯器を持ち上げたときの安定性の高い炊飯器を提供することができる。
【発明を実施するための最良の形態】
【０００８】
第１の発明は、炊飯器本体と、炊飯器本体に着脱自在に収納する鍋と、本体の下部外郭を構成するボディと、ボディの底面側部に一対の把手部とを備え、前記把手部を、最大炊飯量の米と水が入った鍋を収納した状態と鍋を収納していない状態のいずれの場合の炊飯器本体の重心位置よりも後方側となる位置に設けた炊飯器とすることにより、把手部を持って炊飯器を持ち上げて運ぶ際、本体への鍋の有無、さらには鍋内の米と水の量にかかわらず炊飯器の重心位置より炊飯器の後方側を持つことになり、炊飯器は、炊飯器を持ち上げた使用者側に傾くかまたはおよそ水平にバランスを保つことにより、使用者が体で炊飯器の傾きを支持することができることにより、炊飯器を両手と体で支持した安定した状態で持ち運ぶことができる。
【０００９】
第２の発明は、把手部の炊飯器前側面を、最大炊飯量の米と水が入った鍋を収納した状態と鍋を収納していない状態のいずれの場合の炊飯器本体の重心位置よりも前方側に設けた炊飯器とすることにより、把手部を持って炊飯器を持ち上げた際、炊飯器が炊飯器を持ち上げた使用者側に大きく傾いた場合、炊飯器前方端部側の把手部を持つことにより炊飯器の重心部分を持つことが可能となり、炊飯器の傾き具合を使用者自身が調整し炊飯器を持ち運ぶことができる。
【００１０】
（実施の形態１）
図１〜図２は、本発明の第１の実施の形態における炊飯器を示すものである。
【００１１】
図１において、炊飯器の本体１に着脱自在の外面をステンレスで内面をアルミニウムにフッ素をコーティングした鍋２を内装する。本体１の外郭は上面を上枠３６、側下面をボディ２４で構成し、上枠３６の前方は表示内容が視認できるよう透明に成形しており、操作表示部６は機能や動作状態を表示しかつブザーなどの音により報知し、炊飯器の動作や停止を操作するボタンにより構成した起動手段４を配置し、炊飯動作を制御する制御部５を有している。鍋２は上枠３６により鍋２のフランジ部１１を支持されている。鍋２収納部は耐熱性のある樹脂で成形した保護枠２３で構成し、底部中央に鍋２の温度を検知するバネにより鍋２方向へ押圧力を有する鍋温度検知手段１５と、保護枠２３の下面に鍋２を加熱する電磁誘導加熱方式の加熱コイル１３を備えている。本体１前方には電磁誘導加熱方式を制御する加熱制御部３５を備え、加熱制御部３５には吸気口３１に対向する位置に本体１内に外気を取り込む冷却用ファン３２と、冷却用ファン３２の内包にはアルミニウムで成形した放熱用のフィン３３と、スイッチング素子や整流素子などの高電力素子３４を備えている。本体１上方には鍋２の上面を覆う蓋３が本体１の後方に構成したヒンジ部７に軸契合され開閉自在に設置されている。ヒンジ部７には蓋３を開放方向に付勢するヒンジ軸１７により軸支されたヒンジバネ２０を設けており、蓋３はヒンジバネ２０により自動で開放する。蓋３の鍋２対向面には鍋２内を加熱し蓋３に着脱自在の加熱板８を配置し、蓋３内部には加熱板８を加熱する電磁誘導加熱方式の加熱板加熱コイル２６と加熱板８の温度を検知するバネにより加熱板８へ押圧力を有する加熱板温度検知手段１６を備えている。加熱板８には外周を鍋２のフランジ部１１に圧接しシールする鍋パッキン２８と鍋パッキン２８を保持する加熱板支え２７を備えている。加熱板８には鍋２内と蓋３とを連通する蒸気孔９を備え、蓋３には外気と蒸気孔９とを連通する蒸気筒１０を備えている。蒸気筒１０には、傾斜面を上下動するマグネット２１とマグネット２１との距離を検知するリードスイッチ２２により構成する蓋開閉検知手段１８を備えており、蓋３の開閉状態および炊飯時に生成され上昇してくるでんぷん質のおねばを検知することができる。本体１後方には、ボディ２４の側面上方の両側に回動自在に軸支された炊飯器を持ち運ぶ時に使用する中央部分にハンドル持ち手部３７を備えるハンドル１２を収納している。ボディ２４の底面側部には、ボディ２４の外形面の一部を凹形状とした左右一対の把手部１４を備えている。把手部１４は天面１９と前側面２５と後側面２９とにより構成し、把手部１４の本体１における前後方向の位置は、前側面２５と後側面２９の中間地点である把手中心３０が鍋２の中心より後方よりに配置している。
【００１２】
以上のように構成された炊飯器について、以下その動作、作用を説明する。炊飯を行う米とその米量に対応する水を鍋２入れ、本体１の所定の状態にセットする。操作表示部６に設けた起動手段４により動作開始操作をすると、あらかじめ制御部５に設定している炊飯工程が実施される。炊飯工程は浸水、炊き上げ、蒸らしの各工程に大別される。浸水工程は米を４０℃から６０℃で保持することにより米に水を吸水させ、炊き上げ工程では吸水した米に一気に熱を加えて炊き上げ、蒸らし工程では炊き上がったご飯を蒸す作業を行っている。この一連の動作は、鍋温度検知手段１５と加熱板温度検知手段１６とによる温度検知と加熱コイル１３と加熱板加熱コイル２６とによる鍋２と加熱板８の加熱により実行している。またご飯の保温時には、鍋２内のご飯の温度を食べごろの温度であるおよそ７５℃からご飯の乾燥や劣化を低減するやや低い温度のおよそ５５℃の範囲で温度維持している。
【００１３】
次に操作性について説明する。本体１の移動やお手入れなどで本体１を持ち運ぶ場合、２通りの手段を備えている。１つは、ハンドル１２を垂直上方に回転させ、ハンドル１２により上方から本体１を引き上げ持ち上げる方法である。もう１つは、把手部１４により本体１の下方から本体１を引き上げ持ち上げる方法である。ハンドル１２により本体１を持ち上げる場合には、ハンドル１２のハンドル持ち手部３７が本体１の上方に位置することにより、低い位置に置いてある本体１を持ち上げる場合や片手で本体１を持ち上げる場合などに有効である。また、把手部１４により炊飯器を持ち上げる場合には、把手部１４が本体１の下方で且つ両側に位置することにより、本体１を下方より両手で支持し持ち上げることができるので、本体１が重い時など力が必要な場合に有効である。このとき、操作表示部６を本体１前方に配置していることにより、本体１を持ち上げる操作は、使用者は本体１の前方側から本体１を持ち上げる操作となる。このとき、本体１内の鍋２は、本体１内に鍋２が収納されていない場合と、本体１内に最大炊飯量の米と水を入れた鍋２を収納した場合とがあり、本体１内に鍋２が収納されていない場合では、本体１前方側に冷却用ファン３２やフィン３３を備える加熱制御部３５を配置していることにより本体１の重心は前方側となり本体１前方側が重く、本体１内に最大炊飯量の米と水を入れた鍋２を収納した場合では、本体１の後方側に鍋２の収納する構成としていることにより本体１の重心は後方側となり本体１後方側が重くなる。本体１に鍋２が収納されていない場合の本体１の重心位置は、重心を通る鉛直線５１であり、本体１に最大炊飯量の米と水を入れた鍋２を収納した状態の重心位置は、重心を通る鉛直線５２である。
【００１４】
ハンドル１２を持って本体１を持ち上げる場合では、本体１を上方より吊り上げる状態となるため、本体１内の鍋２の有無および鍋２内の米と水の量によって本体１の重心は異なるのであるが、本体１がハンドル１２の軸を中心として傾くことにより本体１重心はハンドル持ち手部３７の直下となり、本体１を持ち上げた使用者が本体１のバランスを崩すことはない。
【００１５】
把手部１４を持って本体１を持ち上げる場合では、本体１を下方より支持する状態となるため、本体１内の鍋２の有無および鍋２内の米と水の量によって本体１の重心は、重心を通る鉛直線５１、５２のように異なるが、本体１に鍋２を収納していない状態および鍋２内に米と水が入った状態においても、把手中心３０を重心を通る鉛直線５１、５２より後方に位置させていることにより、本体１は前方へ傾く。使用者が本体１の前方から本体１を持ち運ぶ作業において、本体１が使用者の体側へ傾くことにより、本体１の水平方向のバランスを使用者の体で支持することになる。本体１を両手で底面を支持し、使用者の体で前方側面とを支持することにより、本体１のバランスを崩すことなく安定した状態で持ち運ぶことができる。
【００１６】
以上のように本実施の形態においては、把手部１４を、重心を通る鉛直線５１、５２より後方に位置させていることにより、本体１に鍋２を収納していない状態および鍋２内に米と水が入った状態においても、把手部１４を持って本体１を持ち上げた場合、本体１が前方である使用者側に傾くことにより、本体１の底面と、使用者側へ傾くよう応力のかかった前方側面とを支持することにより、本体１のバランスを崩すことなく安定した状態で持ち運ぶことができる。
【００１７】
また、把手部１４は、ボディ２４の底部側面で外形面の一部を凹形状とし左右一対の構成としたが、形状は外形面の一部を凹形状に限るものではなく、本体１を側下方より支持することができる形状であれば同様の効果が得られるものである。
【００１８】
また、図２のように、加熱制御部３８を本体３９の後方側に配置し、鍋４０を本体３９の前方側に収納する構成とした場合においても同様である。本体３９の外郭を構成するボディ４１の底面側部には、ボディ４１の外形面の一部を凹形状とした左右一対の把手部４２を備えており、把手部４２は天面４３と前側面４４と後側面４５とにより構成し、ここで、把手部４２の本体３９における前後方向の位置は、前側面４４と後側面４５の中間地点である把手中心４６が、本体３９に鍋４０を収納していない状態の本体３９の重心である重心を通る鉛直線５３および本体３９に最大炊飯量の米と水の入った鍋４０を収納した状態の本体３９の重心である重心を通る鉛直線５４より後方よりに配置している。
【００１９】
図２の構成で把手部４２により炊飯器を持ち上げる場合には、把手部４２を、重心を通る鉛直線５３、５４より後方に位置させていることにより、本体３９に鍋４０を収納していない状態および鍋４０内に米と水が入った状態においても、本体３９は前方へ傾く。使用者が本体３９の前方から本体３９を持ち運ぶ作業において上記同様本体３９のバランスを崩すことなく安定した状態で持ち運ぶことができる。
【００２０】
（実施の形態２）
図３は、本発明の第２の実施の形態における炊飯器を示すものである。
【００２１】
構成は実施の形態１と同様であり、異なる部分のみを説明する。
【００２２】
図３において、前側面４７を本体１に鍋２を収納していない状態の重心である重心を通る鉛直線５１より前方に配置した把手部４８としたものである。
【００２３】
以上のように構成された炊飯器を把手部４８の把手中心４９を持って持ち運ぶ場合、鍋２が本体１に収納されていない場合では、重心を通る鉛直線５１より大きく後方を持つことになるため、本体１は大きく前方側へ傾く場合がある。しかしながら本体１に鍋２が収納されていない状態の重心位置である重心を通る鉛直線５１より前側面４７が前方にあることにより、本体１が前方へ大きく傾く場合、本体１の重心である重心を通る鉛直線５１の位置を支持することが可能となり、本体１の前方側への傾きを軽減させ、より安定した状態で本体１を持ち運ぶことができる。
【産業上の利用可能性】
【００２４】
以上のように本発明にかかる炊飯器は、把手部を本体の重心よりも後方に配置することにより、把手部により本体を持ち上げた際、本体が使用者側である本体前方へ傾くことにより、使用者の体と両手に本体の加重が加わり、本体を安定した状態で持ち運ぶことが可能となるので、家庭用および業務用の炊飯器として有用である。
【図面の簡単な説明】
【００２５】
【図１】本発明の実施の形態１における炊飯器の一部切欠き図
【図２】本発明の実施の形態１における炊飯器の一部切欠き図
【図３】本発明の実施の形態２における炊飯器の一部切欠き図
【図４】従来の炊飯器の構成図
【符号の説明】
【００２６】
１、３９  本体
２、４０  鍋
１４、４２、４８  把手部
２４、４１  ボディ
４７  前側面
５１、５２、５３、５４  重心を通る鉛直線
【図１】
2008259675.tif 000003
【図２】
2008259675.tif 000004
【図３】
2008259675.tif 000005
【図４】
2008259675.tif 000006